(57)【特許請求の範囲】
【請求項１】
入射放射線のエネルギーを検出するエネルギー検出手段と、
前記エネルギー検出手段により検出された前記エネルギーに応じた波高分布曲線に応じた低周波域または可聴帯域の周波数分布曲線を有する音を出力する発信器と、
前記発信器に接続されたスピーカーとを備えることを特徴とする放射線検出装置。
【請求項２】
前記スピーカーから出力される音が、単一エネルギーのγ線に対する波高分布に対応する周波数分布曲線を有する音であることを特徴とする請求項１に記載の放射線検出装置。
【請求項３】
入射放射線のエネルギーを検出するエネルギー検出手段と、
前記エネルギー検出手段により検出された前記エネルギーに応じた波高分布に応じた低周波域または可聴帯域の周波数分布の音を出力するスピーカーと、
前記エネルギー検出手段により検出された前記エネルギーに応じ発光色が変化するインジケータを備える請求項１または２に記載の放射線検出装置。
【発明の詳細な説明】
【技術分野】
【０００１】
この発明は、放射線検出装置に関する。
【背景技術】
【０００２】
従来、例えば可搬型の放射線測定器が知られている（例えば、特許文献１参照）。
このような放射線測定器において、線量率に加えて入射放射線のエネルギースペクトルを放射線測定器に備えられた表示画面に表示可能な放射線測定器が知られている。
【先行技術文献】
【特許文献】
【０００３】
【特許文献１】特開２００９−２５００５号公報
【発明の概要】
【発明が解決しようとする課題】
【０００４】
ところで、上記従来技術に係る放射線測定器においては、操作者は入射放射線のエネルギーに関する情報を把握するために、放射線測定器に備えられた表示画面を目視する必要が生じ、例えば移動しながら測定を行なう場合などであっても、視線の移動を伴う煩雑な動作が必要になるという問題が生じる。
このため、放射線の測定時に入射放射線のエネルギーに関する情報を迅速かつ容易に把握可能として利便性を向上させることが望まれている。
【０００５】
本発明は上記事情に鑑みてなされたもので、放射線の測定時に入射放射線のエネルギーに関する情報を迅速かつ容易に把握可能として利便性を向上させることが可能な放射線検出装置を提供することを目的としている。
【課題を解決するための手段】
【０００６】
上記課題を解決して係る目的を達成するために、本発明の第１態様に係る放射線検出装置は、入射放射線のエネルギーを検出するエネルギー検出手段と、前記エネルギー検出手段により検出された前記エネルギーに応じた波高分布曲線に応じた低周波域または可聴帯域の周波数分布曲線を有する音を出力する発信器と、前記発信器に接続されたスピーカーとを備える。
【発明の効果】
【０００７】
本発明の第１態様に係る放射線検出装置によれば、操作者は、例えば放射線検出装置を目視するなどの煩雑な動作を積極的に行なう必要無しに、スピーカーから出力される音によって、いわば受動的かつ直接的に聴覚が刺激されることで、入射放射線のエネルギーの情報を迅速かつ容易に把握することができ、利便性を向上させることができる。
【図面の簡単な説明】
【０００８】
【図１】本発明の実施の形態に係る放射線検出装置の構成図である。
【図２】本発明の実施の形態の変形例に係る放射線検出装置の構成図である。
【図３】本発明の実施の形態に係る放射線検出装置の放射線検出器から出力される検出パルス信号の波高分布（つまり、エネルギースペクトル）に対応して、スピーカーから発生する音の周波数分布の例を示す図である。
【発明を実施するための形態】
【０００９】
以下、本発明の一実施形態に係る放射線検出装置について添付図面を参照しながら説明する。
本実施の形態による放射線検出装置１０は、例えば図１に示すように、放射線検出器１１と、処理装置１２と、出力装置１３とを備えて構成されている。
【００１０】
放射線検出器１１は、例えば、放射線の入射に応じて発光するＮａＩなどのシンチレータ２１と、シンチレータ２１の発光を電気的な検出パルス信号に変換する光電子増倍管２２と、光電子増倍管２２から出力される検出パルス信号を増幅するプリアンプ２３とを備えて構成され、入射放射線のエネルギーに応じた波高値を有する検出パルス信号を出力する。
【００１１】
処理装置１２は、例えば、放射線検出器１１から出力されるアナログ信号の検出パルス信号を、この検出パルス信号の波高値に応じた値を有するデジタル信号に変換するアナログ・デジタル変換器（ＡＤＣ）３１と、ＡＤＣ３１から出力されるデジタル信号に応じて、入射放射線のエネルギーに応じた周波数の交流信号を出力する発振器（ＯＳＣ）３２とを備えて構成されている。
【００１２】
なお、処理装置１２は、例えば図２に示すように、ＡＤＣ３１およびＯＳＣ３２の代わりに、低周波域（ＬＦ：Low Frequency）あるいは可聴帯域（ＡＦ：Audio Frequency）の電圧制御発振器（ＶＣＯ）３３を備えてもよい。
この場合には、先ず、放射線検出器１１から出力されたアナログ信号の検出パルス信号は、電圧制御発振器（ＶＣＯ）３３の制御端子に制御電圧として入力される。そして、電圧制御発振器（ＶＣＯ）３３は、制御端子に印加された制御電圧に応じて変化する低周波域あるいは可聴帯域の発振周波数を有する交流信号を出力する。
つまり、電圧制御発振器（ＶＣＯ）３３は、放射線検出器１１から出力される検出パルス信号の波高値（つまり、入射放射線のエネルギーに応じた波高値）に応じた低周波域あるいは可聴帯域の周波数の交流信号を出力する。
【００１３】
出力装置１３は、処理装置１２から出力される交流信号の周波数の音を発生させるスピーカー４１と、処理装置１２から出力される交流信号の周波数に応じた色で発光するインジケータ４２とを備えて構成されている。
【００１４】
この放射線検出装置１０によれば、スピーカー４１から発生する音の周波数分布は、放射線検出器１１から出力される検出パルス信号の波高分布（つまり、エネルギースペクトル）に対応することになり、例えば図３（Ａ），（Ｂ）においては、137Ｃｓから放出された単一エネルギー（６６１．６ｋｅＶ）のγ線に対する検出パルス信号の波高分布に対応する周波数分布の音がスピーカー４１から発生する。
【００１５】
上述したように、本実施の形態による放射線検出装置１０によれば、操作者は、例えば放射線検出装置１０を目視するなどの煩雑な動作を積極的に行なう必要無しに、スピーカー４１から出力される音（つまり、入射放射線のエネルギーに応じて周波数が変化する音）によって、いわば受動的かつ直接的に聴覚が刺激されることで、入射放射線のエネルギーの情報を迅速かつ容易に把握することができ、利便性を向上させることができる。
また、この放射線検出装置１０の操作者の熟練度によっては、スピーカー４１から出力される音に基づいて、核種同定や線量率の把握も可能であり、より一層、利便性を向上させることができる。
【００１６】
また、インジケータ４２の発光の色が入射放射線のエネルギーに応じて変化することから、例えば入射放射線のエネルギーに関する情報が数値などで表示される場合に、この数値を意識的に目視して読み込む必要があることに比べて、意識的な目視を必要としない周辺視などで、より迅速かつ容易に入射放射線のエネルギーを把握することができ、利便性を向上させることができる。
【００１７】
なお、上述した実施の形態において、放射線検出装置１０は、可搬型の放射線検出装置（例えば、サーベイメータや個人被爆線量計など）に限定されず、据置型などの他の放射線検出装置（例えば、エリアモニタなど）であってもよい。
なお、上述した実施の形態において、放射線検出装置１０は、シンチレータ２１によるシンチレーション検出器に限定されず、入射放射線のエネルギーに関する情報を検出可能な他の検出器（例えば、半導体検出器など）であってもよい。
【符号の説明】
【００１８】
１０  放射線検出装置
１１  放射線検出器（エネルギー検出手段）
４１  スピーカー
【図１】
0005693139.tif 000002
【図２】
0005693139.tif 000003
【図３】
0005693139.tif 000004